(57)【特許請求の範囲】
【請求項１】
地面を掘削して露呈させた既設流体管において、前記流体管の切断部位を不断水状態で切断する際に生じる切り屑を捕獲し、回収する切り屑回収装置であって、
柔軟性を有する網部と、前記流体管周壁に形成した開口を通して該開口外の密封室と開口内の前記流体管内との間で該網部を移動させる操作部とで構成され、前記流体管の切断部位の上下流２箇所に配設したことを特徴とする不断水切断装置における切り屑回収装置。
【請求項２】
前記網部は、前記密封室内では折り畳まれた状態にあり、前記流体管内では管内径まで拡張可能な請求項１に記載の不断水切断装置における切り屑回収装置。
【請求項３】
前記切り屑回収装置に加えて、スイーパー用工具が前記流体管内に投入可能な請求項１または２に記載の不断水切断装置における切り屑回収装置。
【請求項４】
前記スイーパー用工具は、前記密封ハウジングよりスイーパー管を挿入して前記流体管まで投入可能である請求項３に記載の不断水切断装置における切り屑回収装置。
【発明の詳細な説明】
【０００１】
【発明の属する技術分野】
本発明は、地面を掘削して露呈させた既設流体管を不断水状態で切断する際に生じる切り屑を捕獲し、回収する切り屑回収装置に関する。
【０００２】
【従来の技術】
従来の流体管を密封状態で切断する不断水切断装置は、図８に示すように、地面を掘削して露呈させた既設流体管の切断部位を密封ケーシング０２により囲み、この密封ケーシング０２で覆われた切断機０３で構成されている。流体管０１の不断水切断装置における切り屑回収方法は、切断時に生じた密封ケーシング０２の底面に落下した切り屑が、底部に備え付けのドレーンバルブ０４から管内の水圧を利用してドレーンパイプ０５を介して排出できるようになっている。また、穿孔切断完了後にケーシング０２内に残った切り屑はスイーパー工法によって外部に排出していた。
【０００３】
【発明が解決しようとする課題】
しかしながら、このような従来の切り屑回収方法は、ある程度の切り屑は排出できるが、落下しきれない切り屑は主流にのって本管内を流れてしまう恐れがあり、また、切断完了後のスイーパー工法においても、管内流速によっては下流側に切り屑が流されてしまうことがあった。
【０００４】
このため、流体管の切断箇所近傍にフィルタ部材を密封状態で挿入するようなことも考えられるが、フィルタ部材に切り屑を残さず取り込んで回収することが困難であり、需要箇所の変動により水流の向きが変わると、今まで捕獲していた切り屑がたちまち離散してしまい実用上問題があった。
【０００５】
本発明は、上記課題に鑑みてなされたもので、需要箇所の変動により水流の向きが変わっても、切り屑が流体管内に混入することがなく、確実かつ容易に外部に取り出すことができる不断水切断装置における切り屑回収装置を提供することを目的としている。
【０００６】
【課題を解決するための手段】
上記課題を達成するために、本発明は地面を掘削して露呈させた既設流体管において、前記流体管の切断部位を不断水状態で切断する際に生じる切り屑を捕獲し、回収する切り屑回収装置であって、
柔軟性を有する網部と、前記流体管周壁に形成した開口を通して該開口外の密封室と開口内の前記流体管内との間で該網部を移動させる操作部とで構成され、前記流体管の切断部位の上下流２箇所に配設したことを特徴としている。
この特徴によると、切り屑回収装置が流体管の切断部位の上下流２箇所に配設されているので、需要箇所の変動により水流の向きが変わっても、上流或いは下流のどちらかの切り屑回収装置に切り屑を捕獲でき、しかも網部を、開口を介して移動させるだけで、切り屑の捕獲と回収が容易に切り替えられる。
【０００７】
本発明の不断水切断装置における切り屑回収装置は、前記網部は前記密封室内では折り畳まれた状態にあり、前記流体管内では管内径まで拡張可能であることが好ましい。
このようにすれば、網部が管内径まで拡張することで切り屑を確実に取り込むことができ、折り畳まれることで捕獲した切り屑の散出が防げ、かつ小さな密封室ですむ。
【０００８】
本発明の不断水切断装置における切り屑回収装置は、前記切り屑回収装置に加えてスイーパー用工具が前記流体管内に投入可能なことが好ましい。
このようにすれば、網部による切り屑の捕獲漏れや、網部から離れたところに落下した切り屑をスイーパー用工具で確実に回収できる。
【０００９】
本発明の不断水切断装置における切り屑回収装置は、前記スイーパー用工具は前記密封ハウジングよりスイーパー管を挿入して前記流体管まで投入可能であることが好ましい。
このようにすれば、切断のために用いた密封ハウジングよりスイーパー管を挿入すれば、切り屑を効率よく回収できる。
【００１０】
【発明の実施の形態】
以下、本発明の実施形態を図面に基づいて説明する。
【００１１】
図１は、本発明の一実施形態に係り、既設の流体管に水密状態で取付けた穿孔装置の上下流２箇所に切り屑回収装置を配設した状態を示す側面図、図２は穿孔部の上下流２箇所に配設された切り屑回収装置並びにスイーパー用工具で穿孔後の切り屑を回収する状態を示す説明図、図３は切り屑回収装置の斜視図、図４はシール管のフランジに取付けられた切り屑回収装置の案内筒体内に網体が収容されている状態を示す断面図、図５は操作部の操作により網体が水道管内に送り込まれた状態を示す断面図であり、図６は水道管内に送り込まれた網体が拡張して水道管内壁に接触した状態を示す断面図である。
【００１２】
１図に示す符号１は、既設管としての水道管を示し、この水道管１の一部に分岐管を接続するために穿孔する穿孔装置２が取付けられる。この水道管１に穿孔装置を取付けるために、地面３を掘削して水道管１を露呈させて所定広さのピット３ａを形成し、このピット３ａの底面にコンクリートを水平に打設して基礎５を形成すると共に、水道管１の穿孔箇所両側底部を支持する基礎６ａ、６ｂを形成する。
【００１３】
そこで、露呈している水道管１には、この穿孔箇所を覆うように水道管１の管軸を中心として上下に２分割された密封ハウジング４が図示しないボルトを介して装着され、この密封ハウジング４の中央上部に仕切り弁１４を取付け、更にその上部にフランジＦを介して穿孔装置２が取付けられる。ここで、穿孔装置２は、本発明を実施する為の「不断水切断装置」を構成する。
【００１４】
水道管１を覆う密封ハウジング４には、穿孔装置２の上下流両側２箇所に同一構造の切り屑回収装置１０ａ、１０ｂがそれぞれ着脱可能に取付けられる。従って、一方の切り屑回収装置１０ａ（図１において左側の装置）に付いて説明する。
【００１５】
図４に示すように、左側の切り屑回収装置１０ａは、密封ハウジング４上部の接続短管２２のフランジ２２ａに取付けられた仕切り弁１５ａと、この仕切り弁１５ａの上方にフランジ２５ａを介して水密に取付けられた密封室として構成された案内筒体２５と、この案内筒体２５内に収容された柔軟性を有するメッシュが比較的細かい金網等で構成される網部となる仕切り網２６と、この仕切り網２６を水道管１内に出入れ操作する操作部２８とから構成されている。
【００１６】
尚、上記の仕切り網２６には、同一出願人が出願したフィルタエレメント（特開平６−３１９９１７号公報）が使用されており、この仕切り網２６は、図３に示されるように、水道管１の内径に適合する形状を有するループ状の弾性を有する支持枠３２に全周にわたって担持されており、この支持枠３２には連結棒３６が結合されており、連結棒３６の結合部の付近には顎３７が固着されていて、この顎３７と支持枠３２との外縁部との間には、水道管１の開口４６を閉塞して密閉するためのゴム又はプラスチック製の栓体３９が形成されている。
【００１７】
上記支持枠３２は、弾性の枠体３３と、枠体３３の外周面に固着された柔軟なゴム又はプラスチック製の条片３８とから構成されている。そして、この支持枠３２は、外力を受けていない自然な状態において、上下方向に長円もしくは楕円形をなしており、外部より力を受けることにより水道管１の内径に相応してほぼ円形に拡張するように構成することにより、支持枠３２もしくわ条片３８と水道管１の内周壁１ａとの密着が確実になるようになっている。
【００１８】
連結棒３６の上端部には、下方に向かって収縮する台形もしくは截頭四角錐の回り止め部材４０が固着されており、この回り止め部材４０は、仕切り網２６を水道管１内部に挿入する際に、この仕切り網２６を通過させた後上記仕切り弁１５ａの内部に構成された図示しない四角形状の開口に係合することで、回動もしくは位置ずれを防止することができるようになっている。
【００１９】
更に、図４に示すように、回り止め部材４０の中央上面には操作杆４１が螺着し、案内筒体２５上端の蓋部を水密状態で外方に挿通した操作杆４１の先端に操作ハンドル３０が設けられている。
【００２０】
一方、図２に示される２０はスイーパー用工具を示しており、このスイーパー用工具２０は、水道管１に穿孔加工を施した際に生じた切り屑を外部に排出する装置で、穿孔加工が終了した際に仕切り弁１４の上部フランジＦから穿孔装置２を取り外したのち、こののフランジＦに取付けられた蓋体１３のスイーパー挿入口１６を通して内部に挿入されたスイーパー管２０ａの先端を密封ハウジング４の底部ないし切り屑回収装置１０ａ、１０ｂで回収しきれない切り屑を吸引し、外部に排出するようになっている。
【００２１】
尚、密封ハウジング４ａ上部のフランジＦに取付けられる蓋体１３には、スイーパー挿入口１６に隣接して、密封ハウジング４の内部を可視可能なのぞき窓１８が設けられている。
【００２２】
次に、上記のように構成された切り屑回収装置の作用に付き説明する。
【００２３】
先ず、図１に示すように、掘削したピット３ａ内に露呈した水道管１の穿孔箇所の周囲に、上下に２分割されている密封ハウジング４を水密状態で装着すると共に、この密封ハウジング４上部に仕切り弁１４を取付け、更にその上部にフランジＦを介して穿孔装置２を取付ける。
【００２４】
切り屑回収装置１０ａ、１０ｂは、初期の状態では、図４に示すように、仕切り網２６は、細長状に収縮した状態で仕切り弁１５ａの案内筒体２５内部に収容されており、仕切り弁１５ａを開放した状態で操作ハンドル３０を操作して仕切り網２６を仕切り弁１５ａを通過して水道管１内に進入する。
【００２５】
次に、仕切り網２６は、図５に示すように更に押し下げることで仕切り網２６の下端が水道管１の内周壁底部に当接すると、仕切り網２６は連結棒３６と内周壁底部との間で圧縮されるために横方向に序々に拡張し始め、これと同時に、回り止め部材４０が仕切り弁１５ａの内部に係止する。
【００２６】
仕切り網２６が水道管内に完全に収容されると、図６に示すように、操作ハンドル３０の操作によって仕切り網２６の支持枠３２が水道管１の内周壁１ａ全周に亘って十分な圧力によって均等に押し付けられ、これによって水道管１を横切るように仕切り網２６が張設されることになる。
【００２７】
このようにして、図１に示すように、穿孔装置２両側の水道管１の内周壁が、切り屑回収装置１０ａ、１０ｂの仕切り網２６ａ、２６ｂによって仕切られると、穿孔装置２を起動させてカッターＣを回転し水道管１に不断水状態で穿孔加工が施される。
【００２８】
水道管１の穿孔加工に際し、水道管１の直径より大なる直径のカッターＣが使用されているため、切断後の水道管１は完全に切断されるが、水道管１の穿孔部の両側は基礎６ａ、６ｂにより支持されているので、水平状態が保たれて安定状態が維持されている。
【００２９】
そして、水道管１の穿孔加工により発生した切り屑Ｄは、水道管１内の水流の方向により穿孔された孔の前後何れかに配設された仕切り網２６ａまたは２６ｂによって捕獲され、下流への流出が阻止される。
【００３０】
穿孔加工が終了すると、カッターＣを仕切り弁１４の上方まで引き上げて仕切り弁１４を閉じた後、穿孔装置２をフランジＦから取り外す。この時切断した管体もとり除いておく。
【００３１】
穿孔装置２を取り外しフランジＦが蓋体１３によって閉塞されると、図２に示すように、この蓋体１３のスイーパー挿入口１６を通してスイーパー管２０ａを内部に挿入することで、水道管１内部における両仕切り網２６ａ、２６ｂの近傍ないし、密封ハウジング４底部に落下した切り屑Ｄは、スイーパー管２０ａにより吸引されて収容箱２１内に収容される。
【００３２】
このようにして、切り屑Ｄの回収が完了すると、両仕切り網２６ａ、２６ｂは、操作部２８の操作ハンドル３０の操作により、それぞれ上方に引き上げられて仕切り弁１５ａ、１５ｂの上方の案内筒体２５内部に収容される。
【００３３】
そこで、それぞれの仕切り弁１５ａ、１５ｂを閉塞した状態で、これら仕切り弁１５ａ、１５ｂ上部から切り屑回収装置１０ａ、１０ｂが取り外される。図７（ａ）〜（ｄ）は、切り屑回収装置が取り外された接続短管上端の開口部が閉塞される状態を示す作用説明図で、図７の（ａ）に示すように、これら切り屑回収装置１０ａ、１０ｂに代えて仕切り弁１５ａ、１５ｂの上部に中蓋挿入装置４２がそれぞれ取付けられる。
【００３４】
次に、図７の（ｂ）に示すように、中蓋挿入装置４２の操作により、中蓋４４が密封ハウジング４上部に設けられた接続短管２２上端の開口部内に水密に仮止め状態で装着されると、図７の（ｃ）に示すように、中蓋挿入装置４２が取り外され、最後に図７の（ｄ）に示すようにフランジ２２ａに蓋体４５を取付けることで中蓋４４の上面が確実に密閉保持されて一連の穿孔加工が終了する。
【００３５】
上記のように、本発明においては、切り屑回収装置１０ａ、１０ｂを、水道管１の穿孔箇所の上下流２箇所に配設することで、需要箇所の変動等により水流の向きが変わっても、上流或いは下流のどちらかの切り屑回収装置１０ａ、１０ｂで切り屑Ｄを捕獲することができ、しかも仕切り網２６を、水道管１の開口４６を介して上下に移動させるだけで、切り屑Ｄの捕獲と回収が容易に切り替えられる。
【００３６】
また、仕切り網２６が水道管１の内径まで拡張することで、切り屑Ｄを確実に取り込むことができ、折り畳まれることで捕獲した切り屑Ｄの散出を防ぎ、かつ小さな密封室でも容易に対応することができる。
【００３７】
更に、仕切り網２６による切り屑Ｄの捕獲漏れや、仕切り網２６から離れたところに落下した切り屑Ｄでもスイーパー用工具２０の併用により確実に回収できる。
【００３８】
そしてまた、切断のために用いた密封ハウジング４上部のスイーパー挿入口１６よりスイーパー管を挿入することで、切り屑Ｄを効率よく回収することができる。
【００３９】
【発明の効果】
本発明によれば、次のような効果を奏することができる。
【００４０】
（ａ）請求項１記載の発明によれば、切り屑回収装置が流体管の切断部位の上下流２箇所に配設されているので、需要箇所の変動により水流の向きが変わっても、上流或いは下流のどちらかの切り屑回収装置に切り屑を捕獲でき、しかも網部を、開口を介して移動させるだけで、切り屑の捕獲と回収が容易に切り替えられる。
【００４１】
（ｂ）請求項２記載の発明によれば、網部が管内径まで拡張することで切り屑を確実に取り込むことができ、折り畳まれることで捕獲した切り屑の散出が防げ、かつ小さな密封室ですむ。
【００４２】
（ｃ）請求項３記載の発明によれば、網部による切り屑の捕獲漏れや、網部から離れたところに落下した切り屑をスイーパー用工具で確実に回収できる。
【００４３】
（ｄ）請求項４記載の発明によれば、切断のために用いた密封ハウジングよりスイーパー管を挿入すれば、切り屑を効率よく回収できる。
【図面の簡単な説明】
【図１】本発明の一実施形態に係り、既設の流体管に水密状態で取付けた穿孔装置の上下流２箇所に切り屑回収装置を配設した状態を示す側面図である。
【図２】穿孔部の上下流２箇所に配設された切り屑回収装置並びにスイーパー用工具で穿孔後の切り屑を回収する状態を示す説明図である。
【図３】切り屑回収装置の斜視図である。
【図４】シール管のフランジに取付けられた切り屑回収装置の案内筒体内に網体が収容されている状態を示す断面図である。
【図５】操作部の操作により網体が水道管内に送り込まれた状態を示す断面図である。
【図６】水道管内に送り込まれた網体が拡張して水道管内壁に接触した状態を示す断面図である。
【図７】（ａ）〜（ｄ）は、切り屑回収装置が取り外された接続短管上端の開口部が閉塞される状態を示す作用説明図である。
【図８】穿孔装置により発生した切り屑を密封ケーシング内部から外部に取り出す従来の切り屑回収装置を示す断面図である。
【符号の説明】
１                水道管
１ａ              内周壁
２                穿孔装置
３                地面
３ａ              ピット
４                密封ハウジング
５、６ａ、６ｂ    基礎
１０ａ、１０ｂ    屑回収装置
１３              蓋体
１４              仕切り弁
１５ａ、１５ｂ    仕切り弁
１６              スイーパー挿入口
１８              のぞき窓
２０              スイーパー用工具
２０ａ            スイーパー管
２１              収容箱
２２              接続短管
２２ａ            フランジ
２５              案内筒体（密封室）
２５ａ            フランジ
２６              仕切り網
２６ａ、２６ｂ    仕切り網（網部）
２８              操作部
３０              操作ハンドル
３２              支持枠
３３              枠体
３６              連結棒
３７              顎
３８              条片
３９              栓体
４０              回り止め部材
４１              操作杆
４２              中蓋挿入装置
４４              中蓋
４５              蓋体
４６              開口
Ｃ                カッター
Ｄ                切り屑
Ｆ                フランジ
【図１】
0004114774.tif 000002
【図２】
0004114774.tif 000003
【図３】
0004114774.tif 000004
【図４】
0004114774.tif 000005
【図５】
0004114774.tif 000006
【図６】
0004114774.tif 000007
【図７】
0004114774.tif 000008
【図８】
0004114774.tif 000009